(57)【要約】【課題】本発明は、演算負荷の増大を抑制しつつ、内燃機関の始動時に内燃機関の挙動を安定させることのできる内燃機関の始動制御装置を提供する。【解決手段】クランク角信号が入力されると、記憶された気筒識別情報及びクランク角、或いは、クランク角信号とカム角信号とに基づいて、クランク角が非同期許可範囲にある気筒に非同期噴射を実施する。その後、クランク角が圧縮上死点から所定のクランク角となった気筒から順にクランク角が圧縮上死点から所定のクランク角となると同期噴射を実施する。また、エンジンの再始動要求が成立した後に、同期噴射禁止期間中に、同期噴射時期を迎える気筒においては、同期噴射に変えて補助噴射を実施する。【選択図】図３
2014231817.tif 000002
【特許請求の範囲】
【請求項１】
複数の気筒を有する内燃機関のクランクシャフトの角度を検出し、クランク角信号を出力するクランク角検出手段と、
前記複数の気筒に対応してそれぞれ設けられ燃料を噴射する燃料噴射手段と、
所定のクランク角にて前記燃料噴射手段より前記燃料を噴射する同期噴射と、所定のクランク角期間に前記燃料噴射手段より前記燃料を噴射する非同期噴射と、前記内燃機関の始動要求の発生から所定の期間において前記同期噴射を禁止する同期噴射禁止期間とを有し、前記始動要求の発生から当該同期噴射禁止期間終了までの間に前記クランク角検出手段から最初の前記クランク角信号を受信すると前記所定のクランク角期間内にある前記気筒である第１気筒に前記非同期噴射を実施する初期噴射と、前記第１気筒以降に吸気行程となる前記気筒に対して前記同期噴射を実施する通常噴射と、を実施するように前記燃料噴射手段の作動を制御する始動制御手段と、を備え、
前記始動制御手段は、前記第１気筒の次に前記吸気行程となる前記気筒である第２気筒の前記通常噴射の噴射時期が前記同期禁止期間内にある場合には、前記同期禁止期間内での最初の前記クランク角信号の受信から前記第２気筒の前記吸気行程終了までの期間に、前記燃料噴射手段より前記燃料を噴射する補助噴射を前記２気筒に対して実施することを特徴とする、内燃機関の始動制御装置。
【請求項２】
前記始動制御手段は、前記補助噴射の噴射時期を前記第２気筒の前記同期噴射の噴射時期以前に設定することを特徴とする、請求項１に記載の内燃機関の始動制御装置。
【請求項３】
前記始動制御手段は、前記内燃機関の運転中に所定の停止条件が成立すると前記内燃機関を自動停止し、所定の再始動条件が成立すると前記内燃機関を再始動させる機能を有し、
前記燃料噴射制御手段の前記同期噴射禁止期間は、前記再始動条件が発生してから前記所定の期間に設定されることを特徴とする、請求項１又は２に記載の内燃機関の始動制御装置。
【請求項４】
前記内燃機関の前記クランクシャフトを駆動するクランクシャフト駆動手段を備え、
前記始動制御手段は、
前記所定の停止条件の成立後、前記内燃機関の回転速度が所定の回転速度以下となる以前に前記再始動条件が成立すると、前記クランクシャフト駆動手段によらず燃料噴射によって前記内燃機関の再始動を実施する自立復帰モードと、
前記所定の停止条件の成立後、前記内燃機関の回転速度が所定の値以下である時に前記再始動条件が成立すると、前記燃料噴射と前記クランクシャフト駆動手段によって前記内燃機関の再始動を実施する非自立復帰モードと、を有し、
前記補助噴射を少なくとも前記自立復帰モードである時に実施することを特徴とする、請求項３に記載の内燃機関の始動制御装置。
【発明の詳細な説明】
【技術分野】
【０００１】
本発明は、アイドルストップを実施する車両の内燃機関の始動制御装置に関し、詳しくは、アイドルストップ回復時における内燃機関の始動制御に関する。
【背景技術】
【０００２】
従来、自動車では燃費を向上させる手段として、交差点等での走行停止時や、交差点等での走行停止時に加え、交差点等での走行停止までの減速時に内燃機関のアイドル運転を停止させるアイドルストップ機能を備えたアイドルストップ車が知られている。
アイドルストップ機能とは、車両走行時に交差点で停止するなどし、所定の停止条件が成立した時や、交差点等での走行停止までの減速時に所定の停止条件が成立した時に、内燃機関への燃料供給を停止して内燃機関のアイドル運転を停止させ、その後、所定の再始動条件が成立した時に内燃機関を再始動させ車両を発進或いは走行させるものである。
【０００３】
このようなアイドルストップ車両では、内燃機関の回転停止時のクランクシャフトの回転信号とカムシャフトの回転信号より、クランク角によらずに燃料を噴射する非同期噴射を実施する非同期噴射許可範囲にある気筒を記憶する。そして、車両の走行停止時に再始動条件が成立すると、内燃機関のクランクシャフトをスタータで回転させ、クランクシャフトの回転信号が入力されると当該非同期噴射許可範囲にある気筒に燃料の非同期噴射を行い、混合気を形成して燃焼室で混合気を燃焼させる。その後、内燃機関停止制御信号が解除された後にクランクシャフトの回転信号とカムシャフトの回転信号より、所定の噴射タイミングとなった気筒に燃料の同期噴射を行い、混合気を形成して燃焼室で混合気を燃焼させ、内燃機関を再始動させている。
【０００４】
また、車両の走行停止までの減速時には、内燃機関が停止しており、再始動条件が成立すると、クランクシャフトの回転信号とカムシャフトの回転信号より非同期噴射許可範囲にある気筒に燃料の非同期噴射を行い、混合気を形成して燃焼室で混合気を燃焼させる。その後、燃料噴射停止制御信号が解除された後に、クランクシャフトの回転信号とカムシャフトの回転信号より、所定の噴射タイミングとなった気筒に燃料の同期噴射を行い、混合気を形成して燃焼室で混合気を燃焼させ、内燃機関を再始動させている。
【０００５】
しかしながら、このように再始動条件の成立後に、非同期噴射許可範囲にある気筒に非同期噴射を行った後に、所定の噴射タイミングとなった気筒に同期噴射を実施すると、内燃機関停止制御信号の解除或いは燃料噴射停止制御信号の解除の判定サイクルが長いことから、例えば、内燃機関の再始動時のクランク角が非同期噴射後に行われる同期噴射の噴射タイミングより僅かに手前にあるような場合には、同期噴射の噴射タイミングまでに内燃機関停止制御信号の解除或いは燃料噴射停止制御信号の解除が間に合わず、非同期噴射後に、クランク角が所定の噴射タイミングとなっても同期噴射が行われない噴射抜け状態となり内燃機関の挙動が不安定となる虞がある。
【０００６】
このようなことから、内燃機関の再始動時のクランク角が非同期噴射後に行われる同期噴射の噴射タイミングより僅かに手前にあるような場合であっても、所定の噴射タイミング前に内燃機関停止制御信号の解除判定或いは燃料噴射停止制御信号の解除判定が行われるように、内燃機関の再始動時のクランク角に応じて内燃機関の再始動時の内燃機関停止制御信号或いは燃料噴射停止制御信号の解除を判定するタイミングを可変させることで、非同期噴射後に行われる同期噴射を確実に行い、噴射抜けを防止することのできる内燃機関の自動停止制御装置が開発されている（特許文献１）。
【先行技術文献】
【特許文献】
【０００７】
【特許文献１】特開２０１０−２２３００８号公報
【発明の概要】
【発明が解決しようとする課題】
【０００８】
上記特許文献１の内燃機関自動停止始動制御装置では、内燃機関の再始動時のクランク角に応じて内燃機関の再始動時の内燃機関停止制御信号或いは燃料噴射停止制御信号の解除を判定するタイミングを可変させて、噴射抜けを防止している。
しかしながら、内燃機関停止制御信号或いは燃料噴射停止制御信号の解除を判定するタイミングを可変させることは、判定タイミングの演算が必要となり、当該演算による演算負荷の増大を招くこととなり、好ましいことではない。
【０００９】
本発明は、この様な問題を解決するためになされたもので、その目的とするところは、演算負荷の増大を抑制しつつ、内燃機関の始動時に内燃機関の挙動を安定させることのできる内燃機関の始動制御装置を提供することにある。
【課題を解決するための手段】
【００１０】
上記の目的を達成するために、請求項１の内燃機関の始動制御装置は、複数の気筒を有する内燃機関のクランクシャフトの角度を検出し、クランク角信号を出力するクランク角検出手段と、前記複数の気筒に対してそれぞれ設けられ燃料を噴射する燃料噴射手段と、所定のクランク角にて前記燃料噴射手段より前記燃料を噴射する同期噴射と、所定のクランク角期間に前記燃料噴射手段より前記燃料を噴射する非同期噴射と、前記内燃機関の始動要求の発生から所定の期間において前記同期噴射を禁止する同期噴射禁止期間とを有し、前記始動要求の発生から当該同期噴射禁止期間終了までの間に前記クランク角検出手段から最初の前記クランク角信号を受信すると前記所定のクランク角期間内にある前記気筒である第１気筒に前記非同期噴射を実施する初期噴射と、前記第１気筒以降に吸気行程となる前記気筒に対して前記同期噴射を実施する通常噴射と、を実施するように前記燃料噴射手段の作動を制御する始動制御手段と、を備え、前記始動制御手段は、前記第１気筒の次に前記吸気行程となる前記気筒である第２気筒の前記通常噴射の噴射時期が前記同期禁止期間内にある場合には、前記同期禁止期間内での最初の前記クランク角信号の受信から前記第２気筒の前記吸気行程終了までの期間に、前記燃料噴射手段より前記燃料を噴射する補助噴射を前記第２気筒に対して実施することを特徴とする。
【００１１】
また、請求項２の内燃機関の始動制御装置では、請求項１において、前記始動制御手段は、前記補助噴射の噴射時期を前記第２気筒の前記同期噴射の噴射時期以前に設定することを特徴とする。
また、請求項３の内燃機関の始動制御装置では、請求項１又は２において、前記始動制御手段は、前記内燃機関の運転中に所定の停止条件が成立すると前記内燃機関を自動停止し、所定の再始動条件が成立すると前記内燃機関を再始動させる機能を有し、前記燃料噴射制御手段の前記同期噴射禁止期間は、前記再始動条件が発生してから前記所定の期間に設定されることを特徴とする。
【００１２】
また、請求項４の内燃機関の始動制御装置では、請求項３において、前記内燃機関の前記クランクシャフトを駆動するクランクシャフト駆動手段を備え、前記始動制御手段は、前記所定の停止条件の成立後、前記内燃機関の回転速度が所定の回転速度以下となる以前に前記再始動条件が成立すると、前記クランクシャフト駆動手段によらず燃料噴射によって前記内燃機関の再始動を実施する自立復帰モードと、前記所定の停止条件の成立後、前記内燃機関の回転速度が所定の値以下である時に前記再始動条件が成立すると、前記燃料噴射と前記クランクシャフト駆動手段によって前記内燃機関の再始動を実施する非自立復帰モードと、を有し、前記補助噴射を少なくとも前記自立復帰モードである時に実施することを特徴とする。
【発明の効果】
【００１３】
請求項１の発明によれば、内燃機関の始動要求があり内燃機関の始動を実施する時に、非同期噴射を実施する第１気筒の次に吸気行程となる第２気筒の通常噴射の噴射時期が同期禁止期間内にある場合には、同期禁止期間内での最初のクランク角信号の受信から第２気筒の吸気行程終了までの期間に燃料を噴射する補助噴射を実施することで、例えば、内燃機関の始動時の第１気筒の非同期噴射後に行われる第２気筒への同期噴射を内燃機関停止制御信号の解除或いは燃料噴射停止制御信号の解除後に実施するような場合に、内燃機関の始動時のクランク角が第２気筒への同期噴射の噴射タイミングより僅かに早く、同期噴射の噴射タイミングまでに内燃機関停止制御信号の解除或いは燃料噴射停止制御信号等の解除が間に合わないような場合であっても、同期噴射に変えて第２気筒に対して補助噴射を実施することで、第２気筒へ確実に燃料を供給することで噴射抜けを防止できる。
【００１４】
また、第２気筒の通常噴射の噴射時期が同期禁止期間内にある場合には、同期禁止期間の最初のクランク角信号の受信から第２気筒の吸気行程終了までの期間に燃料を噴射する補助噴射を実施することで、内燃機関停止制御信号の解除或いは燃料噴射停止制御信号の解除のタイミングを可変させるための演算を省略することができる。
したがって、演算を省略することで演算負荷の増大を抑制しつつ、第２気筒へ確実に燃料を供給することで噴射抜けを防止し内燃機関の始動時における内燃機関の挙動を安定させることができる。
【００１５】
また、請求項２の発明によれば、補助噴射の噴射時期を第２気筒の同期噴射の噴射時期以前に設定することで、燃料の気化時間を十分に確保することができ、燃料消費の低減や排ガス性能の向上に寄与することができる。
また、請求項３の発明によれば、始動制御手段は、内燃機関の運転中に所定の停止条件が成立すると内燃機関を自動停止し、所定の再始動条件が成立すると内燃機関を再始動させる機能を有しており、同期噴射禁止期間を再始動条件が発生してから所定の期間に設定することで、内燃機関の再始動時のクランク角が第１気筒の非同期噴射後に行われる第２気筒への同期噴射の噴射タイミングより僅かに早く、同期噴射の噴射タイミングまでに内燃機関停止制御信号の解除或いは燃料噴射停止制御信号等の解除が間に合わないような場合であっても、同期噴射に変えて補助噴射を実施することで、第２気筒へ確実に燃料を供給して、内燃機関の再始動時における噴射抜けを防止し、内燃機関の挙動を安定させることができるので、運転者に違和感をあたえることのない再始動を実施することができる。
【００１６】
また、請求項４の発明によれば、所定の停止条件の成立後、内燃機関の回転速度が所定の回転速度以下となる以前に再始動条件が成立すると、クランクシャフト駆動手段によらず燃料噴射によって内燃機関の再始動を実施する自立復帰モードと、所定の停止条件の成立後、内燃機関の回転速度が所定の値以下である時に再始動条件が成立すると、燃料噴射とクランクシャフト駆動手段によって内燃機関の再始動を実施する非自立復帰モードとを有し、補助噴射を少なくとも自立復帰モードである時に実施することで、例えば車両の減速時に内燃機関への燃料供給を停止し、内燃機関の運転を停止する車両減速時内燃機関運転停止制御を備えるような車両において、車両減速時内燃機関運転停止制御からの復帰時に自立復帰モードで内燃機関の運転を迅速に再開する必要のある場合に、初期噴射と通常噴射に加えて、補助噴射を実施することで、内燃機関の再始動時における噴射抜けを防止し、迅速に内燃機関を再始動することができる。
【図面の簡単な説明】
【００１７】
【図１】本発明に係る内燃機関の始動制御装置が適用されたエンジンの概略構成図である。
【図２】アイドルストップのエンジン停止におけるエンジン再始動時のクランク角信号、燃料噴射等の一例を時系列で示す図である。
【図３】エンジン回転停止からのエンジン再始動時におけるクランク角信号とエンストモードフラグと燃料噴射タイミングとを時系列で示す図である。
【図４】エンジン回転非停止からのエンジン再始動時におけるクランク角信号とフューエルカットモードフラグと燃料噴射タイミングとを時系列で示す図である。
【図５】電子コントロールユニットにおけるアイドルストップ制御の制御ルーチンを示すフローチャートの一部である。
【図６】電子コントロールユニットにおけるアイドルストップ制御の制御ルーチンを示すフローチャートの残部である。
【００１８】
以下、本発明の実施の形態を図面に基づき説明する。
図１は、本発明に係る内燃機関の始動制御装置が適用されたエンジンの概略構成図である。図２は、アイドルストップのエンジン停止におけるエンジン再始動時のクランク角信号、燃料噴射等の一例を時系列で示す図である。そして、図２の上段よりカム角信号、クランク角信号、＃１気筒と＃３気筒と＃２気筒それぞれの燃料噴射信号、非同期許可範囲、同期噴射時期、点火信号、行程、吸気バルブ及び排気バルブの開弁時期を示している。また、図３は、エンジン回転停止からのエンジン再始動時におけるクランク角信号とエンストモードフラグと燃料噴射タイミングとを時系列で示す図である。そして、図４は、エンジン回転非停止からのエンジン再始動時におけるクランク角信号とフューエルカットモードフラグと燃料噴射タイミングとを時系列で示す図である。図３の上段よりクランク角信号、エンストモードフラグ、＃３気筒の燃料噴射、非同期許可範囲、＃２気筒の同期噴射時期、燃料噴射、非同期許可範囲（本発明の所定のクランク角期間に相当）を示している。そして、図４の上段よりクランク角信号、フューエルカットモードフラグ、＃３気筒の燃料噴射、非同期許可範囲、＃２気筒の同期噴射時期、燃料噴射、非同期許可範囲（本発明の所定のクランク角期間に相当）を示している。図２から図４中の同期噴射時期は、クランク角に基づいて燃料噴射を実施する同期噴射（本発明の通常噴射に相当）の時期を示している。そして、同期噴射時期は、燃料噴射を実施する気筒の圧縮上死点から所定のクランク角（本発明の所定のクランク角に相当）前に設定される。また、非同期許可範囲は、クランク角によらずに燃料を噴射する非同期噴射（本発明の初期噴射に相当）を実施するクランク角期間を示している。そして、非同期許可範囲は、気筒毎にそれぞれ設定される。また、図３中のエンジン停止位置は、アイドルストップ時のエンジン１のクランクシャフト７の回転が停止（以降、エンジン１の回転が停止と記載する）したときのクランク角を示している。そして、エンストモードフラグは、当該フラグが成立している時には、同期噴射の実施を禁止するフラグである。また、図４中の自立復帰タイミングは、再始動要求条件が成立し、スタータ１７（本発明のクランクシャフト駆動手段）によらず燃料噴射のみでエンジン１を再始動する自立復帰モードにおける自立始動条件が成立したタイミングを示している。そして、フューエルカットモードフラグは、当該フラグが成立している時には、同期噴射の実施を禁止するフラグである。また、図３及び図４中の補助噴射は、エンジン１の再始動要求が成立した後に、エンストモードフラグ或いはフューエルカットモードフラグが不成立となる所定の期間までの同期噴射の実施が禁止される期間（本発明の同期噴射禁止期間に相当）中に、同期噴射時期を迎える気筒において、同期噴射に変えて実施する燃料噴射である。なお、図３及び図４中の補助噴射を実施する時期を一例として同期噴射時期と同一としているが、これに限られるものではなく、補助噴射を実施する時期は、エンジン１の再始動要求が成立した後から当該補助噴射を実施する気筒の吸気行程終了までであれば良く、例えばエンジン１の再始動要求が成立した後から当該補助噴射を実施する気筒に設定されている通常噴射時期以前として、燃料の気化時間を十分に確保するようにしてもよい。
【００１９】
図１に示すように、エンジン１（内燃機関）は、多気筒（本実施例では、３気筒）の吸気ポート噴射型ガソリンエンジンであり、詳しくは、図示しない燃料タンクより図示しない燃料ポンプにより燃料を各気筒の吸気マニホールド２にそれぞれ設けられた燃料噴射弁（燃料噴射手段）３に供給し、任意の噴射時期及び噴射量で当該燃料噴射弁３から吸気マニホールド２と連通する吸気ポート４ｂ内に噴射可能な構成を成している。
【００２０】
また、エンジン１は、複数の気筒を有するシリンダブロック５と各気筒内に上下摺動可能なピストン６及びシリンダブロック５の上に取り付けられたシリンダヘッド４にて燃焼室４ａを形成している。
また、シリンダヘッド４には、燃焼室４ａに臨んで混合気に点火を行う点火プラグ１４が設けられている。
【００２１】
燃焼室４ａには、吸気ポート４ｂと排気ポート４ｃが連通されている。
吸気ポート４ｂには、燃焼室４ａと吸気ポート４ｂの連通と遮断を実施する吸気バルブ１０が設けられている。そして、吸気バルブ１０は、吸気カムシャフト１２により駆動される。
排気ポート４ｃには、燃焼室４ａと排気ポート４ｃとの連通と遮断を実施する排気バルブ１１が設けられている。そして、排気バルブ１１は、排気カムシャフト１３により駆動される。
【００２２】
また、排気ポート４ｃには、排気ポート４ｃと連通するように排気マニホールド９が設けられている。
ピストン６は、コンロッド７を介してクランクシャフト８に連結されている。また、クランクシャフト８の一端部には図示しないフライホイールが設けられている。
クランクシャフト８には、クランク角を検出するクランク角センサ（クランク角検出手段）１５のターゲットである図示しないセンシングリングが設けられている。
【００２３】
そして燃料噴射弁３、点火プラグ１４、クランク角センサ１５、カムの位相を検出するカム角センサ１６、エンジン１のクランクシャフト８を回転させるスタータ（クランクシャフト駆動手段）１７、図示しない車両の速度を検出する車速センサ、エンジン１の冷却水温度を検出する水温センサ、アクセルペダルの操作量、所謂アクセル開度を検出するアクセルポジションセンサ及び車両のブレーキ操作を検出するブレーキスイッチ等の各種装置や各種センサ類は、エンジン１の総合的な制御を実施するための制御装置であり、入出力装置、記憶装置（ＲＯＭ、ＲＡＭ、不揮発性ＲＡＭ等）及び中央演算処理装置（ＣＰＵ）等を含んで構成される電子コントロールユニット２０（始動制御手段）と電気的に接続されており、当該電子コントロールユニット２０は各種センサ類からの各情報に基づき各種装置を作動制御する。
【００２４】
詳しくは、電子コントロールユニット２０の入力側には、クランク角センサ１５、カム角センサ１６、水温センサ、車速センサ、アクセルポジションセンサ及びブレーキスイッチ等のセンサ類が電気的に接続されており、これら各種装置及び各種センサ類からの検出情報が入力される。
一方、電子コントロールユニット２０の出力側には、燃料噴射弁３、点火プラグ１４及びスタータ１７が電気的に接続されている。
【００２５】
そして、電子コントロールユニット２０は、水温センサ、車速センサ、ブレーキスイッチ等の検出値を基に、エンジン１の運転を停止するアイドルストップ条件（本発明の所定の停止条件に相当）或いはコーストアイドルストップ条件（本発明の所定の停止条件に相当）のいずれかが成立したかを判定し、いずれかの条件が成立していれば、エンジン１への燃料の供給を停止して、あわせてエンジン１の回転停止時の気筒識別情報とクランク角を記憶する。そして、電子コントロールユニット２０は、アイドルストップやコーストアイドルストップを実施してエンジン１の回転が停止している時に、再始動要求条件（本発明の再始動条件に相当）が成立し、更にスタータ１７の作動によらずに燃料噴射でエンジン１を再始動する自立復帰モードを実施するための条件である自立始動条件（例えば、エンジン１の回転速度が所定の回転速度より高い等）が成立していなければ、スタータ１７に作動指令を出力し、スタータ１７を作動させスタータ１７を使用してエンジン１の再始動させる非自立復帰モードを実施する。また、電子コントロールユニット２０は、エンジン１の運転が停止している時に、再始動要求条件（本発明の再始動条件に相当）が成立し、更に自立始動条件が成立していれば、スタータ１７の作動によらずに燃料噴射のみでエンジン１を再始動させる自立復帰モードを実施する。そして、非自立復帰モードでは、再始動要求条件が成立し、更に自立始動条件が成立していなければ、エンジン１の回転が停止している場合には、スタータ１７を作動させ、図２或いは図３に示すように、クランク角信号が入力されると、記憶されたエンジン１の回転停止時の気筒識別情報とクランク角とに基づいて、或いは、エンジン１が回転している場合には、クランク角信号とカム角信号とに基づいて、クランク角が非同期許可範囲にある気筒（本発明の第１気筒に相当）（図２及び図３では＃３気筒）の燃料噴射弁３に燃料噴射信号を供給し、当該気筒に燃料を噴射、即ち非同期噴射を実施する。その後、クランク角が圧縮上死点から所定のクランク角となった気筒（図２では＃２気筒）から順にクランク角が圧縮上死点から所定のクランク角となると、燃料噴射弁３に燃料噴射信号を供給し、当該気筒に燃料を噴射、即ち同期噴射を実施する。また、エンジン１の再始動要求が成立した後に、エンストモードフラグが不成立となるまでの同期噴射の実施が禁止される同期噴射禁止期間中に、同期噴射時期を迎える気筒（本発明の第２気筒に相当）（図３では#２気筒）においては、同期噴射に変えてエンジン１の停止位置から最初のクランク角信号が入力されたタイミング（本実施例では同期噴射時期と同一）で当該気筒に燃料を噴射する補助噴射を実施する。そして、自立復帰モードでは、再始動要求条件が成立し、自立始動条件が成立すると、図２或いは図４に示すように、クランク角信号とカム角信号とに基づいて、クランク角が非同期許可範囲にある気筒（図２及び図４では＃３気筒）の燃料噴射弁３に燃料噴射信号を供給し、当該気筒に燃料を噴射、即ち非同期噴射を実施する。その後、クランク角が圧縮上死点から所定のクランク角となった気筒（図２では＃２気筒）から順にクランク角が圧縮上死点から所定のク��ンク角となると、燃料噴射弁３に燃料噴射信号を供給し、当該気筒に燃料を噴射、即ち同期噴射を実施する。なお、エンジン１の再始動要求が成立した後に、フューエルカットモードフラグが不成立となるまでの同期噴射の実施が禁止される同期噴射禁止期間中に、同期噴射時期を迎える気筒（本発明の第２気筒に相当）（図４では#２気筒）においては、同期噴射に変えて自立復帰タイミングから２度目のクランク角信号が入力されたタイミングで当該気筒に燃料を噴射する補助噴射を実施するアイドルストップ制御を実施する（本発明の内燃機関の運転中に所定の停止条件が成立すると内燃機関を自動停止し、所定の再始動条件が成立すると内燃機関を再始動させる機能に相当）。なお、補助噴射の時期を、エンジン１の停止位置から最初のクランク角信号が入力されたタイミング、或いは自立復帰タイミングから２度目のクランク角信号が入力されたタイミング（本実施例では同期噴射時期と同一）としているが、補助噴射の時期は、エンジン１の再始動要求が成立した後から当該補助噴射を実施する気筒の吸気行程終了までであればよく、例えば、エンジン１の再始動要求が成立した後から当該補助噴射を実施する気筒に設定されている通常噴射時期以前として、燃料の気化時間を十分に確保するようにしてもよい。
【００２６】
次に電子コントロールユニット２０でのアイドルストップ制御について説明する。
図５及び図６は、電子コントロールユニット２０におけるアイドルストップ制御の制御ルーチンを示すフローチャートである。
図５及び図６に示すように、ステップＳ１０では、コーストアイドルストップ条件が成立したか、否かを判別する。判別結果が真（Ｙｅｓ）でコーストアイドルストップ条件が成立していれば、ステップＳ１２に進む。また、判別結果が偽（Ｎｏ）でコーストアイドルストップ条件が成立していなければ、ステップＳ３２に進む。
【００２７】
ステップＳ１２では、コーストアイドルストップを実施する。詳しくは、燃料噴射弁３への燃料供給を停止しエンジン１の運転を停止する。また、エンジン１の回転が停止した場合には、クランク角センサ１５より供給されるクランク角信号及びカム角センサ１６より供給されるカム角信号に基づいて、気筒識別情報とエンジン１の回転が停止した時のクランク角を記憶する。そして、ステップＳ１４に進む。
【００２８】
ステップＳ１４では、再始動要求条件が成立したか、否かを判別する。判別結果が真（Ｙｅｓ）で再始動要求条件が成立していれば、ステップＳ１６に進む。また、判別結果が偽（Ｎｏ）で再始動要求条件が成立していなければ、ステップＳ１４の処理を再度実施する。
ステップＳ１６では、自立始動条件（例えば、エンジン回転速度が所定の回転速度（本発明の自立復帰モード判定における内燃機関の回転速度の判定時の所定の回転速度に相当）より高い）が成立したか、否かを判別する。判別結果が真（Ｙｅｓ）で自立始動条件が成立していれば、ステップＳ１８に進む。また、判別結果が偽（Ｎｏ）で自立始動条件が成立していなければ、ステップＳ２２に進む。
【００２９】
ステップＳ１８では、スタータ１７の作動によらずに燃料噴射でエンジン１を始動させる自立復帰モードにてエンジン１を始動させる。詳しくは、クランク角信号とカム角信号とに基づいて、クランク角が非同期許可範囲にある気筒（図２及び図４では＃３気筒）の燃料噴射弁３に燃料噴射信号を供給し、当該気筒に燃料を噴射する非同期噴射を実施する。その後、クランク角が圧縮上死点から所定のクランク角となった気筒（図２では＃２気筒）から順にクランク角が圧縮上死点から所定のクランク角となると、燃料噴射弁３に燃料噴射信号を供給し、当該気筒に燃料を噴射する同期噴射を実施する。なお、エンジン１の再始動要求が成立した後に、フューエルカットモードフラグが不成立となるまでの同期噴射の実施が禁止される同期噴射禁止期間中に、同期噴射時期を迎える気筒（図４では#２気筒）においては、同期噴射に変えて自立復帰タイミングから２度目のクランク角信号が入力されたタイミングで当該気筒に燃料を噴射する補助噴射を実施する。そして、ステップＳ２０に進む。
【００３０】
ステップＳ２０では、オートスタート完了判定が成立したか、否かを判別する。判別結果が真（Ｙｅｓ）でオートスタート完了判定が成立し、エンジン１の始動が完了していれば、本ルーチンをリターンする。また、判別結果が偽（Ｎｏ）でオートスタート完了判定が成立しておらず、エンジン１の始動が完了していなければ、ステップＳ１８へ戻る。
一方、ステップＳ２２では、スタータ始動条件が成立したか、否かを判別する。判別結果が真（Ｙｅｓ）でスタータ始動条件が成立していれば、ステップＳ２４に進む。また、判別結果が偽（Ｎｏ）でスタータ始動条件が成立していなければ、ステップＳ２２の処理を再度実施する。
【００３１】
ステップＳ２４では、スタータ１７に制御信号を出力し、スタータ１７を駆動させる。そして。ステップＳ２６に進む。
ステップＳ２６では、クランク角センサ１５よりクランク角信号の入力があるか、否かを判別する。判別結果が真（Ｙｅｓ）でクランク角センサ１５よりクランク角信号の入力があれば、ステップＳ２８に進む。また、判別結果が偽（Ｎｏ）でクランク角センサ１５よりクランク角信号の入力がなければ、ステップＳ２６の処理を再度実施する。
【００３２】
ステップＳ２８では、スタータ１７の駆動に加えて、燃料噴射を行ってエンジン１を始動させる非自立復帰モードでエンジン１を始動させる。詳しくは、クランク角信号とカム角信号とに基づいて、クランク角が非同期許可範囲にある気筒（図２及び図４では＃３気筒）の燃料噴射弁３に燃料噴射信号を供給し、当該気筒に燃料を噴射する非同期噴射を実施する。その後、クランク角が圧縮上死点から所定のクランク角となった気筒（図２では＃２気筒）から順にクランク角が圧縮上死点から所定のクランク角となると、燃料噴射弁３に燃料噴射信号を供給し、当該気筒に燃料を噴射する同期噴射を行いエンジン１を始動させる。なお、エンジン１の再始動要求が成立した後に、フューエルカットモードフラグが不成立となるまでの同期噴射の実施が禁止される同期噴射禁止期間中に、同期噴射時期を迎える気筒（図４では#２気筒）においては、同期噴射に変えて自立復帰タイミングから２度目のクランク角信号が入力されたタイミングで当該気筒に燃料を噴射する補助噴射を実施する。そして、ステップＳ３０に進む。
【００３３】
ステップＳ３０では、オートスタート完了判定が成立したか、否かを判別する。判別結果が真（Ｙｅｓ）でオートスタート完了判定が成立し、エンジン１の始動が完了していれば、本ルーチンをリターンする。また、判別結果が偽（Ｎｏ）でオートスタート完了判定が成立しておらず、エンジン１の始動が完了していなければ、ステップＳ２８へ戻る。
ステップＳ３２では、車速が０ｋｍ／ｈであるか、否かを判別する。詳しくは、車速センサより供給される車速が０ｋｍ／ｈで、車両が停止しているか、否かを判別する。判別結果が真（Ｙｅｓ）で車速が０ｋｍ／ｈで、車両が停止していれば、ステップＳ３４に進む。また、判別結果が偽（Ｎｏ）で車速が０ｋｍ／ｈでなく、車両が停止していなければ、ステップＳ３２の処理を再度実施する。
【００３４】
ステップＳ３４では、アイドルストップ条件が成立したか、否かを判別する。判別結果が真（Ｙｅｓ）でアイドルストップ条件が成立していれば、ステップＳ３６に進む。また、判別結果が偽（Ｎｏ）でアイドルストップ条件が成立していなければ、ステップＳ３４の処理を再度実施する。
ステップＳ３６では、アイドルストップを実施する。詳しくは、燃料噴射弁３への燃料供給を停止しエンジン１の運転を停止し、エンジン１の回転を停止させる。また、クランク角センサ１５より供給されるクランク角信号及びカム角センサ１６より供給されるカム角信号に基づいて、気筒識別情報とエンジン１の回転が停止した時のクランク角を記憶する。そして、ステップＳ３８に進む。
【００３５】
ステップＳ３８では、再始動要求条件が成立したか、否かを判別する。判別結果が真（Ｙｅｓ）で再始動要求条件が成立していれば、ステップＳ４０に進む。また、判別結果が偽（Ｎｏ）で再始動要求条件が成立していなければ、ステップＳ３８の処理を再度実施する。
ステップＳ４０では、自立始動条件（例えば、エンジン回転速度が所定の値（本発明の自立復帰モード判定における内燃機関の回転速度の判定時の所定の値に相当）より高い）が成立したか、否かを判別する。判別結果が真（Ｙｅｓ）で自立始動条件が成立していれば、ステップＳ４２に進む。また、判別結果が偽（Ｎｏ）で自立始動条件が成立していなければ、ステップＳ４６に進む。
【００３６】
ステップＳ４２では、スタータ１７の作動によらずに燃料噴射でエンジン１を始動させる自立復帰モードにてエンジン１を始動させる。詳しくは、クランク角信号とカム角信号とに基づいて、クランク角が非同期許可範囲にある気筒（図２及び図４では＃３気筒）の燃料噴射弁３に燃料噴射信号を供給し、当該気筒に燃料を噴射する非同期噴射を実施する。その後、クランク角が圧縮上死点から所定のクランク角となった気筒（図２では＃２気筒）から順にクランク角が圧縮上死点から所定のクランク角となると、燃料噴射弁３に燃料噴射信号を供給し、当該気筒に燃料を噴射する同期噴射を実施する。なお、エンジン１の再始動要求が成立した後に、フューエルカットモードフラグが不成立となるまでの同期噴射の実施が禁止される同期噴射禁止期間中に、同期噴射時期を迎える気筒（図４では#２気筒）においては、同期噴射に変えて自立復帰タイミングから２度目のクランク角信号が入力されたタイミングで当該気筒に燃料を噴射する補助噴射を実施する。そして、ステップＳ４４に進む。
【００３７】
ステップＳ４４では、オートスタート完了判定が成立したか、否かを判別する。判別結果が真（Ｙｅｓ）でオートスタート完了判定が成立し、エンジン１の始動が完了していれば、本ルーチンをリターンする。また、判別結果が偽（Ｎｏ）でオートスタート完了判定が成立しておらず、エンジン１の始動が完了していなければ、ステップＳ４２へ戻る。
一方、ステップＳ４６では、スタータ始動条件が成立したか、否かを判別する。判別結果が真（Ｙｅｓ）でスタータ始動条件が成立していれば、ステップＳ４８に進む。また、判別結果が偽（Ｎｏ）でスタータ始動条件が成立していなければ、ステップＳ４６の処理を再度実施する。
【００３８】
ステップＳ４８では、スタータ１７に制御信号を出力し、スタータ１７を駆動させる。そして。ステップＳ５０に進む。
ステップＳ５０では、クランク角センサ１５よりクランク角信号の入力があるか、否かを判別する。判別結果が真（Ｙｅｓ）でクランク角センサ１５よりクランク角信号の入力があれば、ステップＳ５２に進む。また、判別結果が偽（Ｎｏ）でクランク角センサ１５よりクランク角信号の入力がなければ、ステップＳ５０の処理を再度実施する。
【００３９】
ステップＳ５２では、スタータ１７の駆動に加えて、燃料噴射を行ってエンジン１を始動させる非自立復帰モードでエンジン１を始動させる。詳しくは、クランク角信号とカム角信号とに基づいて、クランク角が非同期許可範囲にある気筒（図２及び図４では＃３気筒）の燃料噴射弁３に燃料噴射信号を供給し、当該気筒に燃料を噴射する非同期噴射を実施する。その後、クランク角が圧縮上死点から所定のクランク角となった気筒（図２では＃２気筒）から順にクランク角が圧縮上死点から所定のクランク角となると、燃料噴射弁３に燃料噴射信号を供給し、当該気筒に燃料を噴射する同期噴射を行いエンジン１を始動させる。なお、エンジン１の再始動要求が成立した後に、フューエルカットモードフラグが不成立となるまでの同期噴射の実施が禁止される同期噴射禁止期間中に、同期噴射時期を迎える気筒（図４では#２気筒）においては、同期噴射に変えて自立復帰タイミングから２度目のクランク角信号が入力されたタイミングで当該気筒に燃料を噴射する補助噴射を実施する。そして、ステップＳ５４に進む。
【００４０】
ステップＳ５４では、オートスタート完了判定が成立したか、否かを判別する。判別結果が真（Ｙｅｓ）でオートスタート完了判定が成立し、エンジン１の始動が完了していれば、本ルーチンをリターンする。また、判別結果が偽（Ｎｏ）でオートスタート完了判定が成立しておらず、エンジン１の始動が完了していなければ、ステップＳ５２へ戻る。
このように、本発明に係る内燃機関の始動制御装置では、非自立復帰モードでは、再始動要求条件が成立し、自立始動条件が成立していなければ、スタータ１７に作動指令を出力し、スタータ１７を駆動させる。その後、エンジン１の回転が停止している場合には、記憶されたエンジン１の回転停止時の気筒識別情報とクランク角とに基づいて、或いは、エンジン１が回転している場合には、クランク角信号とカム角信号とに基づいて、クランク角が非同期許可範囲にある気筒に非同期噴射を実施する。その後、クランク角が圧縮上死点から所定のクランク角となった気筒から順にクランク角が圧縮上死点から所定のクランク角となると同期噴射を実施する。また、エンジン１の再始動要求が成立した後に、エンストモードフラグが不成立となるまでの同期噴射の実施が禁止される同期噴射禁止期間中に、同期噴射時期を迎える気筒においては、同期噴射に変えてエンジン１の停止位置から最初のクランク角信号が入力されたタイミングで補助噴射を行っている。また、自立復帰モードでは、再始動要求条件が成立し、自立始動条件が成立すると、クランク角信号とカム角信号とに基づいて、クランク角が非同期許可範囲にある気筒に非同期噴射を実施する。その後、クランク角が圧縮上死点から所定のクランク角となった気筒から順にクランク角が圧縮上死点から所定のクランク角となると同期噴射を実施する。また、エンジン１の再始動要求が成立した後に、フューエルカットモードフラグが不成立となるまでの同期噴射の実施が禁止される同期噴射禁止期間中に、同期噴射時期を迎える気筒においては、同期噴射に変えて自立復帰タイミングから２度目のクランク角信号が入力されたタイミングで補助噴射を行っている。
【００４１】
したがって、図３のように、非同期噴射が実施される気筒（図３では＃３気筒）の後に、同期噴射が実施される気筒（図３では＃２気筒）の同期噴射の噴射時期より、エンジン１の回転停止時のクランク角が僅かに早く、非同期噴射が実施される気筒（図３では＃３気筒）の後に、通常のエンジン１の始動時に同期噴射が実施される気筒の同期噴射の噴射時期までにエンストモードフラグが不成立とならないような場合や、図４のように、非同期噴射が実施される気筒（図４では＃３気筒）の後に、通常のエンジン１の始動時に同期噴射が実施される気筒（図４では＃２気筒）の同期噴射の噴射時期より、自立復帰タイミング時のクランク角が僅かに早く、非同期噴射が実施される気筒（図３では＃３気筒）の後に、通常のエンジン１の始動時に同期噴射が行われる気筒の同期噴射の噴射時期までにフューエルカットモードフラグが不成立とならないような場合であっても、エンストモードフラグが不成立となるまでの同期噴射の実施が禁止される同期噴射禁止期間中に、同期噴射時期を迎える気筒（図３では＃２気筒）において、同期噴射に変えてエンジン１の停止位置から最初のクランク角信号が入力されたタイミングで補助噴射、或いはフューエルカットモードフラグが不成立となるまでの同期噴射の実施が禁止される同期噴射禁止期間中に、同期噴射時期を迎える気筒（図４では＃２気筒）において、同期噴射に変えて自立復帰タイミングから２度目のクランク角信号が入力されたタイミングで補助噴射を実施することで、非同期噴射が行われる気筒（図３及び図４では＃３気筒）の後に、通常のエンジン１の始動時に同期噴射が行われる気筒（図３及び図４では＃２気筒）へ確実に燃料を供給することで噴射抜けを防止できる。
【００４２】
また、非同期噴射が行われる気筒（図３及び図４では＃３気筒）の後に、同期噴射が行われる気筒（図３及び図４では＃２気筒）において、通常のエンジン１の始動噴射が行えないような場合に、同期噴射に変えて補助噴射を実施することで、非同期噴射が行われる気筒（図３及び図４では＃３気筒）の後に、通常のエンジン１の始動時に同期噴射が行われる気筒（図３及び図４では＃２気筒への燃料供給を確実に実施するためのエンストモードフラグの不成立、或いはフューエルカットモードフラグの不成立とするタイミングを可変させるための演算を省略することができる。
【００４３】
したがって、演算を省略することで演算負荷の増大を抑制しつつ、非同期噴射が行われる気筒の後に、通常のエンジン１の始動時に同期噴射が行われる気筒へ確実に燃料を供給することで噴射抜けを防止し内燃機関の始動時における内燃機関の挙動を安定させることができ、運転者に違和感をあたえることのないエンジン１の再始動を実施することができる。
【００４４】
また、補助噴射の噴射時期を非同期噴射が行われる気筒の後に、通常のエンジン１の始動時に同期噴射が行われる気筒の同期噴射の噴射時期以前に設定することで、燃料の気化時間を十分に確保することができるので、燃料消費の低減や排ガス性能の向上に寄与することができる。
また、エンジン１の運転を迅速に再開する必要のある自立復帰モード時に、補助噴射を実施することで、エンジン１の再始動時における噴射抜けを防止し、迅速にエンジン１を再始動することができる。
【符号の説明】
【００４５】
１  エンジン（内燃機関）
３  燃料噴射弁（燃料噴射手段）
８  クランクシャフト
１５  クランク角センサ（クランク角検出手段）
１６  カム角センサ
１７  スタータ（クランクシャフト駆動手段）
２０  エンジンコントロールユニット（始動制御手段）
【図１】
2014231817.tif 000003
【図２】
2014231817.tif 000004
【図３】
2014231817.tif 000005
【図４】
2014231817.tif 000006
【図５】
2014231817.tif 000007
【図６】
2014231817.tif 000008